(57)【要約】【課題】水圧による変形量が最も大きいケーシング中央部の耐水圧性を向上することができる耐久性のよいヒューガルポンプを提供する【解決手段】吸水口１１、吐出口１２、吸水通路２１及び送水通路２２を備え、かつ、羽根車７を回転自在に支持するスピンドル４の一端４ａを保持する軸孔１７ａを備えた第１ケーシング１と、前記第１ケーシング１との間に仕切板２４を介して配され前記羽根車７を収容するうず室１０を形成し、かつ、前記スピンドル４の他端４ｂを保持する軸孔１７ｂを備えた第２ケーシング２とを有し、モータ９の回転をマグネット５ａ、５ｂの磁気力により前記羽根車７に伝達するヒューガルポンプ３０において、前記第２ケーシング２の軸孔１７ｂに前記スピンドル端部４ｂのスラスト荷重を支えるボールベアリング３１を配する。【選択図】図２
2007332790.tif 000002
【特許請求の範囲】
【請求項１】
吸水口、吐出口、吸水通路及び送水通路を備え、かつ、羽根車を回転自在に支持するスピンドルの一端を保持する軸孔を備えた第１ケーシングと、前記第１ケーシングとの間に仕切板を介して配され前記羽根車を収容するうず室を形成し、かつ、前記スピンドルの他端を保持する軸孔を備えた第２ケーシングとを有し、
モータの回転をマグネットの磁気力により前記羽根車に伝達するヒューガルポンプにおいて、
前記第２ケーシングの軸孔に前記スピンドル端部のスラスト荷重を支える軸受を配した
ことを特徴とするヒューガルポンプ。
【請求項２】
前記軸受が前記スピンドル端部の外周と前記第２ケーシングの軸孔の内周の間に配されたボールベアリングである
ことを特徴とする請求項１に記載のヒューガルポンプ。
【請求項３】
前記軸受が前記スピンドル端面と前記第２ケーシングの軸孔底面の間に配された鋼球と該鋼球を受けるスラスト受けからなる
ことを特徴とする請求項１に記載のヒューガルポンプ。
【発明の詳細な説明】
【技術分野】
【０００１】
本発明は、水などの液体を給水するヒューガルポンプに関するものである。
【背景技術】
【０００２】
自吸式のヒューガルポンプは、モータの回転軸と羽根車にそれぞれマグネットを取り付け、この二つのマグネットの磁気力を利用して、羽根車を回転させ吸水運転を行うタイプがある（例えば、特許文献１）。
【０００３】
ヒューガルポンプの従来例を図４のポンプの部分側断面図を用いて説明する。
【０００４】
ヒューガルポンプ１００は、モータ１０９と、該モータ１０９に接続されたポンプ部１１５を形成する合成樹脂製の第１ケーシング１０１と第２ケーシング１０２とで構成されている。
【０００５】
第１ケーシング１０１には、吸水口１１１、吐出口１１２、吸水通路１２１及び送水通路１２２が形成されている。そして、スピンドル１０４の一端を保持するための軸孔１１７ａが形成されている。
【０００６】
第２ケーシング１０２には、羽根車１０７を収容するうず室１１０、及び、スピンドル１０４の他端を保持するための軸孔１１７ｂが形成されている。
【０００７】
そして、仕切板１２４が第１ケーシング１０１と第２ケーシング１０２とを仕切るように配されて、第１ケーシング１０１と第２ケーシング１０２とを一体にし、ポンプ部１１５を吸水通路１２１、送水通路１２２及びうず室１１０に区分している。この仕切板１２４には、中央部近傍にうず室１１０への液体流入用の吸入孔（図示せず）が設けられており、端部近傍には送水通路１２２に通じる送水孔（図示せず）が設けられている。
【０００８】
スピンドル１０４は、第１ケーシング１０１及び第２ケーシング１０２に形成された軸孔１１７ａ、１１７ｂにスラストワッシャー１０８、１０８を配して嵌入され、水中軸受１０６を介して羽根車１０７がうず室１１０内に回転自在に支持されている。
【０００９】
マグネット１０５ａと１０５ｂが、モータ１０９の回転軸１０３と羽根車１０７とにそれぞれヨークで固定されており、モータ１０９の回転により、マグネット１０５ａが回転し、第２ケーシング１０２の隔壁１１６を介して対向しているマグネット１０５ｂ及び羽根車１０７が磁気力により回転してうず室１１０に吸水作用を発生させ、吸水口１１１から吸水した液体を吐出口１１２から吐出する。
【特許文献１】特開２００２−３０３２８９号公報
【発明の開示】
【発明が解決しようとする課題】
【００１０】
上記のようなマグネットの磁気力を利用したヒューガルポンプ１００は、モータ１０９とポンプ部１１５との間が図に示すように第２ケーシング１０２の隔壁１１６で仕切られているので、モータ１０９への水漏れのおそれがなくなり、安全で、かつ、ポンプの寿命が長くなるいとうメリットがある。
【００１１】
しかしながら、ヒューガルポンプ１００では、合成樹脂製の第２ケーシング１０２の隔壁１１６で隔離されたマグネット１０５ａ、１０５ｂの磁気力を有効に働かせるために、第２ケーシング１０２の隔壁部の肉厚を厚くすることができず、このため水圧による第２ケーシング１０２の損傷を起こしやすく、特にスピンドル１０４の端部を保持する軸孔部１１７ｂのケーシング肉厚が薄くなり損傷しやすいという問題がある。
【００１２】
本発明は、上記の問題点を解消するためのもので、第２ケーシングの磁気力伝達部の肉厚を増すことなくマグネットの磁気力を維持し、水圧による変形量が最も大きい第２ケーシングの中央部の耐水圧性を向上することができる耐久性のよいヒューガルポンプを提供するものである。
【課題を解決するための手段】
【００１３】
請求項１の発明は、吸水口、吐出口、吸水通路及び送水通路を備え、かつ、羽根車を回転自在に支持するスピンドルの一端を保持する軸孔を備えた第１ケーシングと、前記第１ケーシングとの間に仕切板を介して配され前記羽根車を収容するうず室を形成し、かつ、前記スピンドルの他端を保持する軸孔を備えた第２ケーシングとを有し、モータの回転をマグネットの磁気力により前記羽根車に伝達するヒューガルポンプにおいて、前記第２ケーシングの軸孔に前記スピンドル端部のスラスト荷重を支える軸受を配したことを特徴とするヒューガルポンプである。
【００１４】
請求項２の発明は、前記軸受が前記スピンドル端部の外周と前記第２ケーシングの軸孔の内周の間に配されたボールベアリングであることを特徴とする請求項１に記載のヒューガルポンプである。
【００１５】
請求項３の発明は、前記軸受が前記スピンドル端面と前記第２ケーシングの軸孔底面の間に配された鋼球と該鋼球を受けるスラスト受けからなることを特徴とする請求項１に記載のヒューガルポンプである。
【発明の効果】
【００１６】
本発明のヒューガルポンプによれば、スピンドル端部にスラスト荷重を支える軸受を配することで、ケーシングに設けるスピンドルを保持するための軸孔部を短縮することができ、水圧による変形量が最も大きいケーシング中央部の肉厚を増すことで耐水圧性を向上し耐久性を改善することができる。また、マグネットが対向するケーシング部分の隔壁肉厚は不変としてマグネットの磁気力を従来通り維持し吸水特性に影響を与えることがない。
【発明を実施するための最良の形態】
【００１７】
以下、本発明の実施形態ついて、図面に基づいて説明する。
【００１８】
［第１の実施形態］
図１は、実施形態のヒューガルポンプ３０（４０）の部分側断面図である。
【００１９】
ヒューガルポンプ３０は、従来のポンプと同様に、モータ９と、該モータ９に接続されたポンプ部１５を形成する合成樹脂製の第１ケーシング１と第２ケーシング２とで構成されている。
【００２０】
第１ケーシング１には、吸水口１１、吐出口１２、吸水通路２１及び送水通路２２が形成されている。そして、スピンドル４の一端４ａを保持するための軸孔１７ａが形成されている。
【００２１】
第２ケーシング２には、羽根車７を収容するうず室１０、及び、スピンドル４の他端４ｂを保持するための軸孔１７ｂが形成されている。
【００２２】
そして、仕切板２４が第１ケーシング１と第２ケーシング２とを仕切るようにパッキンと共に配されて、第１ケーシング１と第２ケーシング２とを一体化し、ポンプ部１５を吸水通路２１、送水通路２２、及びうず室１０に区分している。この仕切板２４には、中央部近傍に吸水通路２１からうず室１０への液体流入用の吸入孔（図示せず）が設けられており、端部近傍には送水通路２２に通じる送水孔（図示せず）が設けられている。
【００２３】
スピンドル４は、第１ケーシング１及び第２ケーシング２に形成された軸孔１７ａ、１７ｂにスラストワッシャー８、８を配して端部４ａ、４ｂが嵌入され、水中軸受６を介して羽根車７がうず室１０内に回転自在に支持されている。羽根車７には前記軸受６とヨークを介してマグネット５ｂとが接着や嵌着などの方法で固定されている。
【００２４】
マグネット５ａが、モータ９の回転軸３に固定されており、モータ９の回転により、マグネット５ａが回転し、第２ケーシング２の隔壁１６を介して対向しているマグネット５ｂ及び羽根車７がマグネット５ａ、５ｂの磁気力により回転してうず室１０に吸水作用を発生させ、吸水口１１から吸水した液体を吐出口１２から吐出する。
【００２５】
図２は、図１におけるＡ部を拡大したもので、第１の実施形態のヒューガルポンプ３０の要部を示すものである。
【００２６】
図２に示すように、スピンドル４の第２ケーシング２側の端部４ｂは、スラストワッシャー８に隣接して第２ケーシング２の軸孔内周に配されたボールベアリング３１に嵌入されている。
【００２７】
これにより、第２ケーシング２のマグネット５ａ、５ｂ間の磁気伝達部３２の肉厚を増すことなくマグネット５ａ、５ｂの磁気力を維持し、水圧が最もかかりやすい第２ケーシング２中央部の軸孔部側壁３３の合成樹脂の肉厚を増し、第２ケーシング２の耐水圧性を向上することができる。
【００２８】
［第２の実施形態］
図３は、図１におけるＢ部を拡大したもので、第２の実施形態のヒューガルポンプ４０の要部を示すものである。なお、ポンプ４０の主要部は上記ポンプ３０と同一であり、その説明は省略する。
【００２９】
図３に示すように、スピンドル４の第２ケーシング２側の端部４ｂは、その端面に、例えばＶ字形溝４１を設け、この溝４１内に鋼球４２を内装すると共に、鋼球４２のスラスト荷重を受ける鋼製のスラスト受け４３を第２ケーシング２の中央部に埋設し設けたものである。
【００３０】
これにより、第２ケーシング２のマグネット５ａ、５ｂ間の磁気力伝達部４５の肉厚を増すことなくマグネット５ａ、５ｂの磁気力を維持し、水圧がかかりやすい第２ケーシング２中央の軸孔部側壁４４の合成樹脂の肉厚を増し、第２ケーシング２の耐水圧性を向上することができる。
【００３１】
また、鋼球４２とスラスト受け４３が荷重を受けることで、第２ケーシング２の変形量が小さくなりマグネット５ａ側のヨークと接触するおそれもなくなる。
【産業上の利用可能性】
【００３２】
本発明のヒューガルポンプは、風呂、台所、暖房設備などの循環式給湯機のポンプとして好適である。
【図面の簡単な説明】
【００３３】
【図１】実施形態のポンプの側断面図である。
【図２】図１のＡ部拡大図である。
【図３】図１のＢ部拡大図である。
【図４】従来例のポンプの側断面図である。
【符号の説明】
【００３４】
１……第１ケーシング
２……第２ケーシング
４……スピンドル
５ａ、５ｂ……マグネット
７……羽根車
９……モータ
１０……うず室
１１……吸水口
１２……吐出口
１５……ポンプ部
１７……軸孔
２１……吸水通路
２２……送水通路
２４……仕切板
３０……ヒューガルポンプ
３１……ボールベアリング
【図１】
2007332790.tif 000003
【図２】
2007332790.tif 000004
【図３】
2007332790.tif 000005
【図４】
2007332790.tif 000006